(57)【要約】【課題】短時間でのレンズの切り替えおよび高精度な球面収差補正を行うことを可能とし、かつレンズ駆動部の小型化を図る。【解決手段】レンズ駆動部１２は、ステッピングモータ２１と、このモータの回転により光軸方向へ移動するリードナット２２と、レンズホルダ２６を光軸方向へ移動させるための電磁石２７と、レンズホルダ２６に設けられた永久磁石２５とを備える。コイル２７ａに通電して電磁石２７と永久磁石２５との間に電磁力を生じさせ、この電磁力によりレンズホルダ２６を高速で移動させてリードナット２２の内壁へ当接させる。その後、電磁石２７の通電状態を維持しつつ、ステッピングモータ２１を所定量回転させることによって、リードナット２２と共にレンズホルダ２６を球面収差が最小となる位置まで低速で移動させる。【選択図】図２
2008181616.tif 000002
【特許請求の範囲】
【請求項１】
レーザ光を投射する光源と、
前記光源から投射されたレーザ光を平行光にするコリメータレンズと、
前記コリメータレンズを保持するレンズホルダと、
前記コリメータレンズを透過したレーザ光を光ディスクの記録層に集光させる対物レンズと、
前記記録層で反射された反射光を受光する受光部と、
前記コリメータレンズを光軸方向に移動させるレンズ駆動部と、
前記受光部の出力に基づいて前記レンズ駆動部の動作を制御する制御部と、
を備えた光ピックアップ装置において、
前記レンズ駆動部は、ステッピングモータと、このステッピングモータの回転により前記光軸方向へ移動するＵ字型のリードナットと、前記光軸方向へ延びる第１のガイドシャフトと、この第１のガイドシャフトと平行に設けられた第２のガイドシャフトと、前記第１のガイドシャフトの端部に設けられた電磁石と、前記レンズホルダに設けられた永久磁石とを備え、
前記レンズホルダは、前記第１および第２のガイドシャフトによって光軸方向へ移動自在に支持され、前記電磁石と対向する部位に前記永久磁石を有しており、
前記制御部は、前記電磁石に電流を流すことにより当該電磁石と前記永久磁石との間に電流の向きに応じた電磁力を生じさせ、この電磁力により前記レンズホルダを前記リードナットの一方の内壁から他方の内壁へ高速で移動させて当該内壁へ当接させ、その後、前記電磁石の通電状態を維持しつつ、前記ステッピングモータを所定量回転させることによって、前記リードナットと共に前記レンズホルダを球面収差が最小となる位置まで低速で移動させることを特徴とする光ピックアップ装置。
【請求項２】
レーザ光を投射する光源と、
前記光源から投射されたレーザ光の球面収差を補正するための球面収差補正レンズと、
前記球面収差補正レンズを保持するレンズホルダと、
前記球面収差補正レンズを透過したレーザ光を光ディスクの記録層に集光させる対物レンズと、
前記記録層で反射された反射光を受光する受光部と、
前記球面収差補正レンズを光軸方向に移動させるレンズ駆動部と、
前記受光部の出力に基づいて前記レンズ駆動部の動作を制御する制御部と、
を備えた光ピックアップ装置において、
前記レンズ駆動部は、モータと、このモータの回転により前記光軸方向へ移動するリードナットと、前記レンズホルダを光軸方向へ移動させるための第１の磁界発生手段と、前記レンズホルダに設けられた第２の磁界発生手段とを備え、
前記レンズホルダは、前記第１の磁界発生手段と対向する部位に前記第２の磁界発生手段を有しており、
前記制御部は、前記第１および第２の磁界発生手段の間に電磁力を生じさせ、この電磁力により前記レンズホルダを前記リードナットの一方の内壁から他方の内壁へ高速で移動させて当該内壁へ当接させ、その後、前記電磁力が生じた状態を維持しつつ、前記モータを所定量回転させることによって、前記リードナットと共に前記レンズホルダを球面収差が最小となる位置まで低速で移動させることを特徴とする光ピックアップ装置。
【請求項３】
請求項２に記載の光ピックアップ装置において、
前記レンズホルダを移動自在に支持するガイドシャフトを備え、
前記第１の磁界発生手段は、前記ガイドシャフトの端部に設けられた電磁石であり、
前記第２の磁界発生手段は、前記電磁石と対向する部位に設けられた永久磁石であることを特徴とする光ピックアップ装置。
【請求項４】
請求項３に記載の光ピックアップ装置において、
前記ガイドシャフトは磁性材料からなり、
前記電磁石を、前記ガイドシャフトと、このガイドシャフトの端部に巻回されたコイルとで構成したことを特徴とする光ピックアップ装置。
【発明の詳細な説明】
【技術分野】
【０００１】
本発明は、ＤＶＤレコーダやパーソナルコンピュータ等において、光ディスクの情報を読み取るために用いられる光ピックアップ装置に関する。
【背景技術】
【０００２】
一般に、複数メディアの取扱いが可能なＤＶＤレコーダ等に用いられる光ピックアップ装置においては、光源から投射されたレーザ光をコリメータレンズで平行光にし、コリメータレンズを透過したレーザ光を対物レンズにより集光させて、記録層に光スポットを形成するようにしている。この場合、各メディアのカバー層の厚さの違いに起因して球面収差が発生し、再生信号が劣化するため、再生性能に悪影響を及ぼすこととなる。また、２層の記録層を有する光ディスクにおいて、第１層に対して球面収差が最小となるように光学系が設計されていると、第１層から第２層に切り替えて記録再生を行うために対物レンズを移動させた場合に、同様の球面収差が発生する。
【０００３】
この球面収差を補正する手段として、コリメータレンズを光軸方向に移動させる方法があり、その方法の１つとして、一端部がモータの回転軸に連結されたリードスクリューと、球面収差補正レンズを保持したレンズホルダを有し、モータの回転に伴うリードスクリューの回転によって、レンズホルダを光軸方向へ移動させる機能を備えた光ピックアップ装置がある（後掲の特許文献１参照）。
【０００４】
しかしながら、この方法によるレンズの移動手段は、モータの回転に伴うリードスクリューの回転力を光軸方向への駆動力に変換し、レンズホルダを光軸方向に移動させるため、リードスクリューの長さがレンズの移動距離に比べ長くなり、レンズ駆動部の小型化が困難であるという問題点がある。
【０００５】
また、異なるメディア間でレンズ位置を切り替えたり、同じメディアの複数の記録層間でレンズ位置を切り替えたりする場合、レンズを所定距離だけ移動させるには、モータを非常に多く回転させる必要があるため、レンズ位置の切り替えに時間がかかるという問題点も併せ持っている。
【０００６】
レンズ位置の切り替えに関する先行技術としては、例えば下記の特許文献２〜４に記載のものがある。特許文献２では、レンズを光軸方向に移動させる手段として、ステッピングモータとＤＣモータとを用いているが、これではレンズの移動時間の短縮に限界がある。特許文献３では、２つのレンズ間の距離を第１の電磁アクチュエータで調整するのと並行して、２つのレンズを一体で第２の電磁アクチュエータにより移動させるようにしている。しかし、球面収差の補正は電磁アクチュエータで行うので、レンズ位置の微調整が難しく、球面収差を精度良く補正するのは困難である。特許文献４では、コイルとマグネットとの間に作用する電磁力により、２つのエキスパンダレンズ間の距離を調整するようにしているが、この場合も電磁力だけではレンズ位置の微調整が難しく、球面収差を精度良く補正するのは困難である。
【０００７】
【特許文献１】特開２００６−１４７０５４号公報
【特許文献２】特開昭６４−７０９３４号公報
【特許文献３】特開２０００−４０２３７号公報
【特許文献４】特開２００５−１６６２０９号公報
【発明の開示】
【発明が解決しようとする課題】
【０００８】
本発明は、以上の問題に鑑み、短時間でのレンズの切り替えおよび高精度な球面収差補正を行うことを可能とし、かつレンズ駆動部の小型化を図ることのできる光ピックアップ装置を提供することを課題とする。
【課題を解決するための手段】
【０００９】
本発明では、レーザ光を投射する光源と、この光源から投射されたレーザ光の球面収差を補正するための球面収差補正レンズと、この球面収差補正レンズを保持するレンズホルダと、球面収差補正レンズを透過したレーザ光を光ディスクの記録層に集光させる対物レンズと、光ディスクの記録層で反射された反射光を受光する受光部と、球面収差補正レンズを光軸方向に移動させるレンズ駆動部と、受光部の出力に基づいてレンズ駆動部の動作を制御する制御部とを備えた光ピックアップ装置において、レンズ駆動部は、モータと、このモータの回転により光軸方向へ移動するリードナットと、レンズホルダを光軸方向へ移動させるための第１の磁界発生手段と、レンズホルダに設けられた第２の磁界発生手段とを備える。レンズホルダは、第１の磁界発生手段と対向する部位に第２の磁界発生手段を有している。そして、制御部は、第１および第２の磁界発生手段の間に電磁力を生じさせ、この電磁力によりレンズホルダをリードナットの一方の内壁から他方の内壁へ高速で移動させて当該内壁へ当接させ、その後、電磁力が生じた状態を維持しつつ、モータを所定量回転させることによって、リードナットと共にレンズホルダを球面収差が最小となる位置まで低速で移動させる。
【００１０】
このようにすることで、レンズ駆動部は、レンズ切り替え動作を第１、第２の磁界発生手段間の電磁力により高速で行い、球面収差補正のための微調整をモータの回転により低速で行うことによって、短時間でのレンズの切り替えおよび高精度な球面収差の補正が実現可能となる。また、リードスクリューを短くすることによるレンズ駆動部の小型化に伴い、レンズ駆動部を搭載するスライドベースの小型化も実現できるため、複数のメディアを再生する機器においても、良好な再生機能と小型化を実現することができる。
【００１１】
本発明では、レンズホルダを移動自在に支持するガイドシャフトを設け、第１の磁界発生手段をガイドシャフトの端部に設けられた電磁石で構成し、第２の磁界発生手段を電磁石と対向する部位に設けられた永久磁石で構成することができる。この場合、ガイドシャフトを磁性材料から形成し、電磁石を、ガイドシャフトと、このガイドシャフトの端部に巻回されたコイルとで構成してもよい。このようにすると、ガイドシャフトの一部を電磁石の構成部品として利用することができるので、構成が簡単となり、また部品点数の削減によりコストダウンを図ることができる。
【００１２】
本発明の典型的な実施形態では、レーザ光を投射する光源と、この光源から投射されたレーザ光を平行光にするコリメータレンズと、コリメータレンズを透過したレーザ光を光ディスクの記録層に集光させる対物レンズと、光ディスクの記録層で反射された反射光を受光する受光部と、コリメータレンズを光軸方向に移動させるレンズ駆動部と、受光部の出力に基づいてレンズ駆動部の動作を制御する制御部とを備えた光ピックアップ装置において、レンズ駆動部は、ステッピングモータと、このステッピングモータの回転により光軸方向へ移動するＵ字型のリードナットと、光軸方向へ延びる第１のガイドシャフトと、この第１のガイドシャフトと平行に設けられた第２のガイドシャフトと、第１のガイドシャフトの端部に設けられた電磁石と、レンズホルダに設けられた永久磁石とを備える。またコリメータレンズを保持するレンズホルダは、第１および第２のガイドシャフトに光軸方向へ移動自在に支持されていて、電磁石と対向する部位に永久磁石を有している。そして、制御部は、電磁石に電流を流すことにより電磁石と永久磁石との間に電流の向きに応じた電磁力を生じさせ、この電磁力によりレンズホルダをリードナットの一方の内壁から他方の内壁へ高速で移動させて当該内壁へ当接させ、その後、電磁石の通電状態を維持しつつ、ステッピングモータを所定量回転させることによって、リードナットと共にレンズホルダを球面収差が最小となる位置まで低速で移動させる。
【発明の効果】
【００１３】
本発明によれば、短時間でのレンズの切り替えおよび高精度な球面収差補正を可能とし、かつレンズ駆動部における小型化を図ることのできる光ピックアップ装置を提供することができる。
【発明を実施するための最良の形態】
【００１４】
図１は、本発明の実施形態に係る光ピックアップ装置の光学系を示す概略構成図である。ここでは、ＣＤ（Compact Disc）とＤＶＤ（Digital  Versatile Disc）とＢＤ（Blu-ray  Disc；登録商標）の３種類のディスクに対応可能な、３波長互換型の光ピックアップ装置１００を例に挙げる。
【００１５】
図１において、１ａはＣＤとＤＶＤ用の光源であって、波長が７８０ｎｍの赤外線レーザ光と６５０ｎｍの赤色レーザ光をそれぞれ投射する２個の半導体レーザを備えている。１ｂはＢＤ用の光源であって、波長が４０５ｎｍの青紫色レーザ光を投射する半導体レーザを備えている。２ａは光源１ａに対応して設けられた回折格子、２ｂは光源１ｂに対応して設けられた回折格子である。３はダイクロイックプリズムであって、光源１ａからのレーザ光を透過して直進させるとともに、光源１ｂからのレーザ光を反射して光路を９０°変更させる。４はハーフミラーであって、ダイクロイックプリズム３を通った光を９０°の角度でコリメータレンズ５側へ反射するとともに、コリメータレンズ５からの光はそのまま透過させる。コリメータレンズ５は、ハーフミラー４で反射されたレーザ光を平行光に変換するレンズであって、後述するように光軸方向（矢印ａｂ方向）へ移動可能となっている。６はコリメータレンズ５を通った光を９０°の角度で上向きに反射するアップミラーである。
【００１６】
７は対物レンズ８に入射するレーザ光の開口数を制限して、光ディスク１３のディスク面に所定の大きさの光スポットを形成するためのアパーチャ、８はディスク面上にレーザ光を集光させる対物レンズである。９はアパーチャ７と対物レンズ８が組み込まれた可動アクチュエータである。１０は光ディスク１３のディスク面で反射した光を各光学部品４〜８を介して受光する受光部である。１１は受光部１０から出力される信号を処理して所定の制御を行う制御部、１２は制御部１１からの出力に基づいてコリメータレンズ５を駆動するレンズ駆動部である。
【００１７】
光源１ａおよび１ｂから投射されたレーザ光は、回折格子２ａおよび２ｂ、ダイクロイックプリズム３を介してハーフミラー４で９０°反射され、コリメータレンズ５に入射し、平行光に変換される。コリメータレンズ５の出射光は、アップミラー６、アパーチャ７および対物レンズ８を介して、光ディスク１３の記録層に集光され、微小な光スポットを形成する。また光ディスク１３の記録層で反射された反射光は、各光学部品４〜８を介して受光部１０で受光される。受光部１０から出力される信号は制御部１１へ送られる。制御部１１では、受光部１０の出力信号に基づいてレンズ駆動部１２を制御し、レンズ駆動部１２によって後述するコリメータレンズ５の移動や微調整が行われる。また、制御部１１は受光部１０の出力信号に基づいてフォーカスエラーおよびトラッキングエラーを検出し、フォーカス制御やトラッキング制御などのサーボ制御を行うが、サーボ制御系は本発明に直接関与しないため、図１では図示を省略してある。  
【００１８】
図２は、本発明の第１実施形態におけるコリメータレンズ５の駆動機構を示した図である。図中において、２１はステッピングモータ、２２はこのステッピングモータ２１の回転軸２１ａに連結されたリードナット、２３は第１のガイドシャフト、２４は第２のガイドシャフト、２５は永久磁石、２６はコリメータレンズ５を保持するレンズホルダ、２７は電磁石、２７ａはガイドシャフト２３の端部に巻回されたコイルであって、これらは図１に示したレンズ駆動部１２に備わっている。電磁石２７は、本発明における第１の磁界発生手段の一実施形態を構成し、永久磁石２５は、本発明における第２の磁界発生手段の一実施形態を構成している。
【００１９】
ステッピングモータ２１は制御部１１から送られてくるパルス信号に応じて所定量だけ回転する。ステッピングモータ２１の回転軸２１ａは、ねじ部２１ｂが形成されたリードスクリューとなっており、このねじ部２１ｂがリードナット２２の孔２２ｃの内周に形成されたねじ部（図示省略）と螺合している。このため、回転軸２１ａが回転すると、その回転方向に応じて、リードナット２２は矢印で示すａ方向またはｂ方向に移動する。リードナット２２は予め実験等により得られているデータに基づき、球面収差の補正に要するレンズ移動距離を勘案し、Ｕ字型に形成されている。ガイドシャフト２３はコリメータレンズ５の光軸方向（ａｂ方向）へ延びており、ガイドシャフト２４はガイドシャフト２３と平行に設けられている。ガイドシャフト２３は磁性材料からなるが、ガイドシャフト２４の材質は磁性・非磁性を問わない。これらのガイドシャフト２３，２４はレンズホルダ２６を光軸方向へ移動自在に支持する。永久磁石２５は、レンズホルダ２６の電磁石２７と対向する部位に設けられ、ここではレンズホルダ２６のシャフト２３貫通部に埋設されたリング状の磁石から構成される。永久磁石２５の電磁石２７と対面する側は、レンズホルダ２６から露出していてもよいし、露出していなくてもよい。レンズホルダ２６はコリメータレンズ５を保持する板状部材であって、例えば樹脂材料から形成されている。電磁石２７はガイドシャフト２３とコイル２７ａによって構成された電磁石であり、コイル２７ａに電流を流すことによって電磁石２７と永久磁石２５との間に電流の向きに応じた電磁力（吸引力または反発力）を生じさせ、この電磁力によりレンズホルダ２６を図のａ方向またはｂ方向へ移動させることができる。このように、ガイドシャフト２３の一部を電磁石２７の構成部品として利用すれば、構成が簡単となり、また部品点数の削減によりコストダウンを図ることができる。
【００２０】
次に、上述した実施形態における球面収差の補正について説明する。光ディスク１３の記録層における光スポットの球面収差は、光スポットの反射光を受光した受光部１０の出力に基づいて制御部１１で検出される。検出された球面収差に対しては、コリメータレンズ５を光軸方向へ移動させて収差の補正を行う。例えば、光ディスク１３が２層の記録層を有するメディアであって、第１層から第２層に切り替えて記録再生を行う場合の球面収差の補正にあたっては、コリメータレンズ５の移動は、次のような２段階で行われる。すなわち、制御部１１は、レンズ駆動部１２のコイル２７ａに予め設定した電流を流し、電磁石２７と永久磁石２５との間に吸引力または反発力を発生させ、レンズホルダ２６を光軸方向（ａ方向またはｂ方向）に高速で移動させる。この移動によりレンズホルダ２６はリードナット２２と当接するが、その後もコイル２７ａは通電状態とし、レンズホルダ２６とリードナット２２との当接状態を維持する。次に、ステッピングモータ２１の回転によりリードナット２２を移動させ、レンズホルダ２６をリードナット２２と共に光軸方向（ａ方向またはｂ方向）に低速で移動させ、球面収差が最小となる位置でステッピングモータ２１を停止させる。これにより、コリメータレンズ５の移動が完了し、球面収差が補正される。
【００２１】
図３は、光ディスク１３の記録層の第１層に対して記録再生を行う場合の駆動機構の状態を示している。図３では図２と同一部分または対応する部分に同一符号を付してある。この場合は、電磁石２７の永久磁石２５と対向する側にＳ極が形成されるようにコイル２７ａに電流を流す。これにより、電磁石２７と永久磁石２５の向かい合う面の極性が異なるため、電磁石２７と永久磁石２５との間に吸引力が働き、永久磁石２５を備えたレンズホルダ２６は、図２の状態から電磁石２７に吸引されて、ａ方向の向きにリードナット２２の一方の内壁２２ａまで高速で移動し、図３のように内壁２２ａに当接する。このとき、レンズホルダ２６は電磁石２７の吸引力により内壁２２ａに押し付けられる形で停止する。尚、停止後もコイル２７ａは通電状態であるため、リードナット２２とレンズホルダ２６との当接面において、レンズホルダ２６に働く磁力が磁気バネとしての効果を発揮する。それに伴い当接面における隙間を無くす事ができるため、バックラッシュの防止が可能となる。これにより、従来使用していたスプリング（圧縮ばね）等のバックラッシュ対策部品の削減が実現できる。記録層の第１層に対して球面収差が最小となるように光学系が設計されている場合は、図３のレンズホルダ２６の位置が基準位置となる。レンズホルダ２６の位置を微調整する必要があるときは、図３の状態でステッピングモータ２１を回転させることにより、レンズホルダ２６をリードナット２２と共に低速で移動させ、球面収差が最小となる位置でステッピングモータ２１を停止させる。
【００２２】
図４は、光ディスク１３の記録層の第２層に対して記録再生を行う場合の駆動機構の状態を示している。図４では図２と同一部分または対応する部分に同一符号を付してある。この場合は、電磁石２７の永久磁石２５と対向する側にＮ極が形成されるようにコイル２７ａに電流を流す。これにより、電磁石２７と永久磁石２５の向かい合う面の極性が同一となるため、電磁石２７と永久磁石２５との間に反発力が働き、永久磁石２５を備えたレンズホルダ２６は、電磁石２７からの反発力を受けて、図３の状態からｂ方向の向きに、リードナット２２の他方の内壁２２ｂまで高速で移動し、図４のように内壁２２ｂに当接する。このとき、レンズホルダ２６は電磁石２７の反発力により内壁２２ｂに押し付けられる形で停止する。尚、停止後もコイル２７ａは通電状態であるため、リードナット２２とレンズホルダ２６の当接面において、レンズホルダ２６に働く磁力が磁気バネとしての効果を発揮する。それに伴い当接面における隙間を無くす事ができるため、バックラッシュの防止が可能となる。これにより、従来使用していたスプリング（圧縮ばね）等のバックラッシュ対策部品の削減が実現できる。レンズホルダ２６がリードナット２２の内壁２２ｂに当接した後、制御部１１で球面収差を検出し、ステッピングモータ２１を回転させることにより、レンズホルダ２６をリードナット２２と共に低速で移動させて微調整を行い、球面収差が最小となる位置でステッピングモータ２１を停止させる。これにより、記録層を第１層から第２層に切り替えたときの球面収差が補正される。
【００２３】
なお、図４の場合においては、永久磁石２５を備えたレンズホルダ２６と電磁石２７との間に働く反発力は、コイル２７ａに流す電流量が一定の場合、互いの距離が離れていくに従って低下していく。このため、図３の状態でレンズホルダ２６に対して働く磁力（吸引力）と同等の大きさの磁力（反発力）をレンズホルダ２６に働かせることが出来ないが、対応策として、コイル２７ａに流す電流を所定量まで連続的に増やすことにより、図３の場合における磁力と同等の磁力をレンズホルダ２６に働かせることができる。
【００２４】
このようにして、上述した実施形態においては、コリメータレンズ５の切り替え動作を電磁石２７と永久磁石２５との間の電磁力により高速で行い、球面収差補正のための微調整をステッピングモータ２１の回転により低速で行うことによって、短時間でのレンズの切り替えおよび高精度な球面収差の補正が実現可能となる。また、リードスクリュー（回転軸２１ａ）を短くすることによるレンズ駆動部１２の小型化に伴い、レンズ駆動部１２を搭載するスライドベース（図示省略）の小型化も実現できるため、複数のメディアを再生する機器においても、良好な再生機能と小型化を実現することができる。
【００２５】
図５は、本発明の第２実施形態におけるコリメータレンズ５の駆動機構を示した図である。図５では、図２と同一部分または対応する部分に同一符号を付してある。この図５の実施形態において、電磁石２７は、レンズホルダ２６を支持する２本のガイドシャフト２３と、これらのガイドシャフト２３の端部にそれぞれ巻回されたコイル２７ａとによって構成される。２本のガイドシャフト２３は、いずれも磁性材料から形成されている。２個の永久磁石２５は、レンズホルダ２６のシャフト２３貫通部にそれぞれ埋設されており、図２の場合と同様に、リング状の磁石から構成される。その他の構成については、図２と同じであるので説明を省略する。
【００２６】
この第２実施形態においても、電磁石２７と永久磁石２５との間に働く吸引力または反発力により、レンズホルダ２６を高速で短時間に移動させることができると共に、ステッピングモータ２１の回転によりレンズホルダ２６を微調整できるので、先の第１実施形態と同様の効果が得られる。また、これに加えて、電磁石２７と永久磁石２５がそれぞれ２つ設けられているため、電磁力を大きくしてレンズホルダ２６をより高速に移動させることができる。さらに、電磁石２７のどちらか一方がコイル２７ａの損傷等で機能しなくなった場合においても、他方がバックアップすることでレンズ駆動部１２は有効に動作し、光ピックアップの機能を妨げることがない。
【００２７】
図６は、本発明の第３実施形態におけるコリメータレンズ５の駆動機構を示した図である。図６では、図２と同一部分または対応する部分に同一符号を付してある。この図６の実施形態において、２７ｂはガイドシャフト２３とは別個独立した磁性体であり、電磁石２７は、磁性体２７ｂと、この磁性体２７ｂに巻回されたコイル２７ａとによって構成される。磁性体２７ｂはガイドシャフト２３と接していてもよいし、若干の距離を置いて離れていてもよい。また、本実施形態の場合、ガイドシャフト２３は必ずしも磁性材料である必要はない。その他の構成については、図２と同じであるので説明を省略する。
【００２８】
この第３実施形態においても、電磁石２７と永久磁石２５との間に働く吸引力または反発力により、レンズホルダ２６を高速で短時間に移動させることができると共に、ステッピングモータ２１の回転によりレンズホルダ２６を微調整できるので、先の第１実施形態と同様の効果が得られる。また、これに加えて、磁性体２７ｂの材質や大きさを任意に選定できるので、電磁石２７の設計の自由度が向上し、必要な電磁力を容易に得ることができる。
【００２９】
本発明では、上述した実施形態以外にも種々の実施形態を採用することができる。例えば、上述した図４の実施形態におけるレンズホルダ２６に働く磁力低下への対応策として、コイル２７ａの巻数を増やしてアンペアターンを増加させたり、電磁石２７を構成するガイドシャフト２３または磁性体２７ｂに透磁率の高い材質を用いることにより、電磁力を増大させることができる。あるいは、これらの組合せによって、様々な条件下においても本発明を実施することが可能となる。
【００３０】
また、上述した実施形態においては、球面収差補正レンズとしてコリメータレンズ５を例に挙げたが、図７に示すように、コリメータレンズ５とは別に、球面収差補正レンズとしてエキスパンダレンズ３０を備えた光ピックアップ装置にも本発明を適用することができる。図７において、エキスパンダレンズ３０は、凸レンズ３１と凹レンズ３２の組合せにより構成される。そして、一方のレンズ、例えば凹レンズ３２が凸レンズ３１に対して光軸方向に移動可能となっており、これによって球面収差補正を行う。そこで、コリメータレンズ５と凸レンズ３１は固定とし、凹レンズ３２に対して図２、図５、図６で示した駆動機構を設けて、凹レンズ３２を光軸方向に移動させることで、前記の実施形態と同様の球面収差補正を行うことができる。
【００３１】
また、上述した実施形態では、１つの同一メディアに対して、第１層から第２層に切り替えて記録再生を行う場合の球面収差の補正について説明したが、記録再生するメディアが別の種類のものに交換された場合に、カバー層の厚さの違いによる球面収差を補正するためにコリメータレンズ等を移動させる場合にも、本発明を適用することができる。
【００３２】
また、上述した実施形態では、第１の磁界発生手段として電磁石２７を用い、第２の磁界発生手段として永久磁石２５を用いた例を挙げたが、本発明はこれに限らず、第１の磁界発生手段として永久磁石を用いることもできる。この場合は、例えば永久磁石を回転可能に設けて、この磁石を１８０°回転させることにより、永久磁石２５と対向する極をＮ極とＳ極に切り替えるようにすればよい。また、本発明では、第２の磁界発生手段として超小型の電磁石を用いてもよい。
【００３３】
また、上述した実施形態では、レンズホルダ２６を２本のガイドシャフト２３，２４に支持した例を挙げたが、ガイドシャフトを一方のみとし、他方のガイドシャフトの代わりにガイドレールを用いてもよい。さらには、２本のガイドシャフトをそれぞれガイドレールに置き換えてもよい。
【００３４】
また、上述した実施形態では、レンズ駆動部１２に備わるモータとして、ステッピングモータ２１を例に挙げたが、ステッピングモータ以外のモータを用いることも可能である。
【００３５】
さらに、上述した実施形態では、３波長互換型の光ピックアップ装置１００を例に挙げたが、本発明は３波長以外の波長に対応する光ピックアップ装置にも適用することができる。
【図面の簡単な説明】
【００３６】
【図１】本発明に係る光ピックアップ装置の光学系を示す概略構成図である。
【図２】第１実施形態におけるコリメータレンズの駆動機構を示す図である。
【図３】レンズ駆動部の動作を説明する図である。
【図４】レンズ駆動部の動作を説明する図である。
【図５】第２実施形態におけるコリメータレンズの駆動機構を示す図である。
【図６】第３実施形態におけるコリメータレンズの駆動機構を示す図である。
【図７】他の実施形態におけるコリメータレンズとエキスパンダレンズを示す図である。
【符号の説明】
【００３７】
１ａ，１ｂ  光源  
５    コリメータレンズ  
８    対物レンズ
１０  受光部  
１１  制御部  
１２  レンズ駆動部  
１３  光ディスク
２１  ステッピングモータ
２２  リードナット
２２ａ，２２ｂ  内壁
２３，２４  ガイドシャフト
２５    永久磁石
２６    レンズホルダ
２７    電磁石
２７ａ  コイル
２７ｂ  磁性体
３０    エキスパンダレンズ
１００  光ピックアップ装置
【図１】
2008181616.tif 000003
【図２】
2008181616.tif 000004
【図３】
2008181616.tif 000005
【図４】
2008181616.tif 000006
【図５】
2008181616.tif 000007
【図６】
2008181616.tif 000008
【図７】
2008181616.tif 000009